(57)【要約】【課題】  医療機関とは異なる業者がその医療機関と連携した付加サービスを会員に提供する際に利用される診察券の製造期間を短縮し、また費用を掛けずに高機能な診察券を提供することができる医療用カード高機能化システム及び付加サービス提供方法を提供する。【解決手段】  医療機関端末２が、医療機関の属性情報と会員の識別情報とを識別するバーコードの生成要求を管理サーバ１へ送信する。そして管理サーバ１が、少なくとも医療機関端末２より受信した会員の識別情報と、記憶部から読み取った医療機関の識別情報と、に基づいてバーコードの情報を生成し、医療機関端末２へ送信する。医療機関端末２は、管理サーバ１から受信したバーコードの情報に基づいて、当該バーコードを媒体に印刷する。【選択図】    図１
2006209503.tif 000002
【特許請求の範囲】
【請求項１】
医療機関端末と管理サーバとを備えた医療用カード高機能化システムであって、
前記医療機関端末が、
付加サービスを受ける会員の識別情報を送信する会員情報送信手段と、
自端末が備えられている医療機関の属性情報と前記会員の識別情報とを識別するバーコードの生成要求を送信するバーコード生成要求送信手段と、
前記管理サーバから受信した前記バーコードの情報に基づいて、当該バーコードを媒体に印刷する指示を行なうバーコード印刷手段と、
を備え、
前記管理サーバが、
前記医療機関端末から前記会員の識別情報と、前記バーコードの生成要求とを受信するバーコード生成用情報受信手段と、
少なくとも前記受信した会員の識別情報と、記憶部から読み取った前記医療機関の識別情報と、に基づいて前記バーコードの情報を生成するバーコード生成手段と、
前記生成したバーコードの情報を前記医療機関端末に送信するバーコード送信手段と、
を備えることを特徴とする医療用カード高機能化システム。
【請求項２】
前記医療機関端末が、
前記媒体に印刷されたバーコードを読み取るバーコード読み取り手段と、
前記バーコードで示される前記医療機関の識別情報と前記会員の識別情報と前記会員が要求する付加サービスの識別情報とを含むサービス提供要求を、前記管理サーバへ送信するサービス提供要求手段と、
を備え、
前記管理サーバが、
前記バーコードの生成に用いた前記医療機関の属性情報と前記会員の識別情報とその会員へ提供できる付加サービスの識別情報とを対応付けて記憶する付加サービス判定情報記憶手段と、
前記サービス提供要求手段に含まれる前記医療機関の識別情報と前記会員の識別情報との組み合わせに対応付けられて前記付加サービス判定情報記憶手段に記録されている前記付加サービスの識別情報が、前記サービス提供要求に含まれる前記付加サービスの識別情報と一致するか否かの付加サービス提供可否判定を行なう付加サービス提供可否判定手段と、
前記付加サービス提供可否判定において、付加サービスの識別情報が一致した場合にのみ、当該付加サービス識別情報で示される、付加サービス提供サーバに、前記医療機関端末から送信された情報を接続する付加サービス提供サーバ接続手段と、
を備えることを特徴とする請求項１に記載の医療用カード高機能化システム。
【請求項３】
前記管理サーバが、
前記医療機関端末から受信した前記会員の識別情報が、会員情報記憶手段に記録されているか否かを判定する会員情報重複判定手段と、
前記バーコード生成手段は、前記会員情報記憶手段に前記医療機関端末から受信した前記会員の識別情報が記録されていない場合にのみバーコードを生成する
ことを特徴とする請求項１または請求項２に記載の医療用カード高機能化システム。
【請求項４】
医療機関端末と管理サーバとを備えた医療用カード高機能化システムにおける付加サービス提供方法であって、
前記医療機関端末の会員情報送信手段が、付加サービスを受ける会員の識別情報を送信し、
前記医療機関端末のバーコード生成要求送信手段が、自端末が備えられている医療機関の属性情報と前記会員の識別情報とを識別するバーコードの生成要求を送信し、
前記管理サーバのバーコード生成用情報受信手段が、前記医療機関端末から前記会員の識別情報と、前記バーコードの生成要求とを受信し、
前記管理サーバのバーコード生成手段が、少なくとも前記受信した会員の識別情報と、記憶部から読み取った前記医療機関の識別情報と、に基づいて前記バーコードの情報を生成し、
前記管理サーバのバーコード送信手段が、前記生成したバーコードの情報を前記医療機関端末に送信し、
前記医療機関端末のバーコード印刷手段が、前記管理サーバから受信した前記バーコードの情報に基づいて、当該バーコードを媒体に印刷する指示を行なう
ことを特徴とする付加サービス提供方法。
【請求項５】
前記医療機関端末のバーコード読み取り手段が、前記媒体に印刷されたバーコードを読み取り、
前記医療機関端末のサービス提供要求手段が、前記バーコードで示される前記医療機関の識別情報と前記会員の識別情報と前記会員が要求する付加サービスの識別情報とを含むサービス提供要求を、前記管理サーバへ送信し、
前記管理サーバの付加サービス判定情報記憶手段が、前記バーコードの生成に用いた前記医療機関の属性情報と前記会員の識別情報とその会員へ提供できる付加サービスの識別情報とを対応付けて記憶し、
前記管理サーバの付加サービス提供可否判定手段が、前記サービス提供要求手段に含まれる前記医療機関の識別情報と前記会員の識別情報との組み合わせに対応付けられて前記付加サービス判定情報記憶手段に記録されている前記付加サービスの識別情報が、前記サービス提供要求に含まれる前記付加サービスの識別情報と一致するか否かの付加サービス提供可否判定を行ない、
前記管理サーバの付加サービス提供サーバ接続手段が、前記付加サービス提供可否判定において、付加サービスの識別情報が一致した場合にのみ、当該付加サービス識別情報で示される、付加サービス提供サーバに、前記医療機関端末から送信された情報を接続する
ことを特徴とする請求項４に記載の付加サービス提供方法。
【請求項６】
前記管理サーバの会員情報重複判定手段が、前記医療機関端末から受信した前記会員の識別情報が、会員情報記憶手段に記録されているか否かを判定し、
前記管理サーバの前記バーコード生成手段は、前記会員情報記憶手段に前記医療機関端末から受信した前記会員の識別情報が記録されていない場合にのみバーコードを生成する
ことを特徴とする請求項４または請求項５に記載の付加サービス提供方法。
【発明の詳細な説明】
【技術分野】
【０００１】
本発明は、診察券等に付与するバーコードを生成し、当該バーコードの情報に基づく医療の付加サービスを会員に提供するバーコードによる医療用カード高機能化システム及び高機能化カードを用いた付加サービス提供方法に関する。
【背景技術】
【０００２】
従来より医療機関において医療の付加サービスを受ける際には、病院の窓口などに診察券や保険証を提示して、各種付加サービスの提供を受けている。この診察券や保険証は通常、紙媒体や磁気ストライプ及び、ＩＣチップに患者や被保険者の情報が格納されている。なお、医療現場において発生する様々な情報をバーコードを介して入力・管理することにより、情報処理の効率化や記録の容易化、医療事故の防止等を実現する技術が公開されている（例えば、特許文献１参照）。
【特許文献１】特開２００２−４１６５６号公報
【発明の開示】
【発明が解決しようとする課題】
【０００３】
ここで、医療機関において、保険証や診察券を用いて希望者のみに付加サービスを提供する仕組みを構築することが必要となっている。例えば付加サービスとは、医療費の決済サービスや診察予約や処方箋のネットワーク経由による受け取りなどがある。このような付加サービスを提供するにあたり、保険証や診察券を電子技術を用いて高機能化（例えばＩＣチップを搭載するなど）する必要があるが、全てのカードについて磁気ストライプ型やＩＣチップ搭載型に交換する方法では、費用、手間がかかってしまい、２重発行や登録削除といった運用面での煩雑さが発生してしまう。
【０００４】
そこでこの発明は、医療機関とは異なる業者がその医療機関と連携した付加サービスを、特定の会員に提供する為に保険証や診察券を費用をかけずに高機能化し、管理運用することがでる医療用カード高機能化システム及び高機能化カードを用いた付加サービス提供方法を提供することを目的としている。
【課題を解決するための手段】
【０００５】
本発明は、上述の課題を解決すべくなされたもので、医療機関端末と管理サーバとを備えた医療用カード高機能化システムであって、前記医療機関端末が、付加サービスを受ける会員の識別情報を送信する会員情報送信手段と、自端末が備えられている医療機関の属性情報と前記会員の識別情報とを識別するバーコードの生成要求を送信するバーコード生成要求送信手段と、前記管理サーバから受信した前記バーコードの情報に基づいて、当該バーコードを媒体に印刷する指示を行なうバーコード印刷手段と、を備え、前記管理サーバが、前記医療機関端末から前記会員の識別情報と、前記バーコードの生成要求とを受信するバーコード生成用情報受信手段と、少なくとも前記受信した会員の識別情報と、記憶部から読み取った前記医療機関の識別情報と、に基づいて前記バーコードの情報を生成するバーコード生成手段と、前記生成したバーコードの情報を前記医療機関端末に送信するバーコード送信手段と、を備えることを特徴とする医療用カード高機能化システムである。
【０００６】
また本発明は、上述の医療用カード高機能化システムにおいて、前記医療機関端末が、前記媒体に印刷されたバーコードを読み取るバーコード読み取り手段と、前記バーコードで示される前記医療機関の識別情報と前記会員の識別情報と前記会員が要求する付加サービスの識別情報とを含むサービス提供要求を、前記管理サーバへ送信するサービス提供要求手段と、を備え、前記管理サーバが、前記バーコードの生成に用いた前記医療機関の属性情報と前記会員の識別情報とその会員へ提供できる付加サービスの識別情報とを対応付けて記憶する付加サービス判定情報記憶手段と、前記サービス提供要求手段に含まれる前記医療機関の識別情報と前記会員の識別情報との組み合わせに対応付けられて前記付加サービス判定情報記憶手段に記録されている前記付加サービスの識別情報が、前記サービス提供要求に含まれる前記付加サービスの識別情報と一致するか否かの付加サービス提供可否判定を行なう付加サービス提供可否判定手段と、前記付加サービス提供可否判定において、付加サービスの識別情報が一致した場合にのみ、当該付加サービス識別情報で示される、付加サービス提供サーバに、前記医療機関端末から送信された情報を接続する付加サービス提供サーバ接続手段と、を備えることを特徴とする。
【０００７】
また本発明は、上述の医療用カード高機能化システムにおいて、前記管理サーバが、前記医療機関端末から受信した前記会員の識別情報が、会員情報記憶手段に記録されているか否かを判定する会員情報重複判定手段と、前記バーコード生成手段は、前記会員情報記憶手段に前記医療機関端末から受信した前記会員の識別情報が記録されていない場合にのみバーコードを生成することを特徴とする。
【０００８】
また本発明は、医療機関端末と管理サーバとを備えた医療用カード高機能化システムにおける付加サービス提供方法であって、前記医療機関端末の会員情報送信手段が、付加サービスを受ける会員の識別情報を送信し、前記医療機関端末のバーコード生成要求送信手段が、自端末が備えられている医療機関の属性情報と前記会員の識別情報とを識別するバーコードの生成要求を送信し、前記管理サーバのバーコード生成用情報受信手段が、前記医療機関端末から前記会員の識別情報と、前記バーコードの生成要求とを受信し、前記管理サーバのバーコード生成手段が、少なくとも前記受信した会員の識別情報と、記憶部から読み取った前記医療機関の識別情報と、に基づいて前記バーコードの情報を生成し、前記管理サーバのバーコード送信手段が、前記生成したバーコードの情報を前記医療機関端末に送信し、前記医療機関端末のバーコード印刷手段が、前記管理サーバから受信した前記バーコードの情報に基づいて、当該バーコードを媒体に印刷する指示を行なうことを特徴とする付加サービス提供方法である。
【０００９】
また本発明は、上述の付加サービス提供方法において、前記医療機関端末のバーコード読み取り手段が、前記媒体に印刷されたバーコードを読み取り、前記医療機関端末のサービス提供要求手段が、前記バーコードで示される前記医療機関の識別情報と前記会員の識別情報と前記会員が要求する付加サービスの識別情報とを含むサービス提供要求を、前記管理サーバへ送信し、前記管理サーバの付加サービス判定情報記憶手段が、前記バーコードの生成に用いた前記医療機関の属性情報と前記会員の識別情報とその会員へ提供できる付加サービスの識別情報とを対応付けて記憶し、前記管理サーバの付加サービス提供可否判定手段が、前記サービス提供要求手段に含まれる前記医療機関の識別情報と前記会員の識別情報との組み合わせに対応付けられて前記付加サービス判定情報記憶手段に記録されている前記付加サービスの識別情報が、前記サービス提供要求に含まれる前記付加サービスの識別情報と一致するか否かの付加サービス提供可否判定を行ない、前記管理サーバの付加サービス提供サーバ接続手段が、前記付加サービス提供可否判定において、付加サービスの識別情報が一致した場合にのみ、当該付加サービス識別情報で示される、付加サービス提供サーバに、前記医療機関端末から送信された情報を接続することを特徴とする。
【００１０】
また本発明は、上述の付加サービス提供方法において、前記管理サーバの会員情報重複判定手段が、前記医療機関端末から受信した前記会員の識別情報が、会員情報記憶手段に記録されているか否かを判定し、前記管理サーバの前記バーコード生成手段は、前記会員情報記憶手段に前記医療機関端末から受信した前記会員の識別情報が記録されていない場合にのみバーコードを生成することを特徴とする。
【発明の効果】
【００１１】
本発明によれば、付加サービスの会員申込みの際に管理サーバでバーコードが生成され、そのバーコードの情報を受信した医療機関端末がバーコードの印刷処理を行なう。従って、迅速に、会員登録されたことを示すバーコードの情報を診察券に添付することができ、付加サービスを受ける為の保険証や診察券を従来からの媒体のままで使用することができるので、ＩＣチップや磁気や磁気ストライプを有したプラスチックのカードへの全交換に比べて、容易に、費用をかけず、また時間をかけずに、所望の保険証や診察券を作成することができる。
【００１２】
また、本発明によれば、バーコードの添付された診察券により、容易に利用者へ提供する付加サービスを判定することができる。
【発明を実施するための最良の形態】
【００１３】
以下、本発明の一実施形態による医療用カード高機能化システムを図面を参照して説明する。図１は同実施形態による医療用カード高機能化システムの構成を示すブロック図である。この図において、符号１は管理サーバである。また２は医療機関端末である。管理サーバ１と医療機関端末２とは通信ネットワークを介して接続されている。なお、管理サーバ１は通信ネットワークを介して図１に示されていない付加サービス提供サーバとも接続されている。
【００１４】
図２は管理サーバと医療機関端末の機能ブロック図である。
図２より、管理サーバ１において、符号１１は通信ネットワークを介して医療機関端末２や付加サービス提供サーバと情報の送受信を行なう通信処理部（バーコード生成用情報受信手段、付加サービス提供可否判定手段）である。また１２は管理サーバ内の各処理部を制御する制御部である。また１３は少なくとも会員の識別情報と、医療機関の識別情報とに基づいてバーコードの情報を生成するバーコード生成処理部（バーコード生成手段、バーコード送信手段）である。また１４は医療機関端末２から受付けたバーコードの情報を用いて、会員に対して付加サービスを提供できるか否かを判定する付加サービス提供可否判定処理部である。また１５は付加サービス提供サーバと接続して医療管理端末２から送信された会員の情報やサービスを受ける為の各種情報を送信する付加サービス提供サーバ接続処理部（付加サービス提供サーバ接続手段）である。また１６は医療機関の情報を記憶する医療機関ＤＢ（データベース）である。また１７は付加サービスを受けることのできる会員の各種情報を記録する会員ＤＢ（付加サービス判定情報記憶手段）である。
【００１５】
また医療機関端末２において、２１は通信ネットワークを介して管理サーバ１と情報の送受信を行なう通信処理部である。また２２は医療機関端末２の各種処理部を制御する制御部（会員情報送信手段）である。また２３は付加サービスの提供を受ける為の各処理を行なう付加サービス処理部（バーコード生成要求送信手段、サービス提供要求手段）である。また２４は管理サーバ１から受信したバーコードの情報を用いて、バーコードを媒体（例えば、シールや診察券）に印刷するバーコード印刷処理部（バーコード印刷手段）である。
【００１６】
そして、医療用カード高機能化システムでは、医療機関端末２から送信された会員の情報や、管理サーバ１で記憶している病院の情報に基づいて当該  管理サーバ１がバーコードの情報を生成し、医療機関端末２に送られる。そして、医療機関端末２がバーコードを印刷する。そしてそのバーコードが添付された印刷券により、会員は特定の付加サービスを受けることができるようになる。
【００１７】
図３は医療機関ＤＢの記憶するデータテーブルを示す図である。
この図が示すように医療機関ＤＢ１６は医療機関コード、病院ＩＤ、パスワードを対応付けて記憶している。
図４は会員ＤＢの記憶するデータテーブルを示す図である。
この図が示すように会員ＤＢ１７は、会員番号、氏名、診察券番号、医療機関コード、病院ＩＤ、年齢、提供を受けることのできるサービス種別などの情報を対応付けて記憶している。
【００１８】
次に、本実施形態による医療用カード高機能化システムによる付加サービス提供方法の処理フローについて説明する。
図５は会員登録及びバーコード発行の処理フローを示す図である。
図５より、まず、患者などの利用者が病院の窓口において付加サービスの会員申込みを行なうと（ステップＳ１０１）、病院の担当者は医療機関端末２に管理サーバ１への接続を指示する（ステップＳ１０２）。例えば、ウェブブラウザなどを用いて管理サーバ１のウェブサーバ機能に接続する。するとログイン画面が管理サーバ１から送信され医療機関端末２のモニタに表示される。病院の担当者はログイン画面において病院ＩＤとパスワードを入力し、ログイン指示を入力すると、医療機関端末２の通信処理部２１は病院ＩＤとパスワードを管理サーバ１へ送信する（ステップＳ１０３）。そして管理サーバ１の制御部１２は、病院ＩＤとパスワードの組み合わせが医療機関ＤＢ１６のデータテーブルに記録されているか否か確認する（ステップＳ１０４）。そして、記録されている場合には医療機関端末２との通信接続を認証する。
【００１９】
管理サーバ１の制御部１２は医療機関端末２を認証すると、ウェブサーバ機能により会員情報入力画面を医療機関端末２へ送信する（ステップＳ１０５）。医療機関端末２の制御部２２はブラウザ機能を利用してモニタに会員情報入力画面を表示する（ステップＳ１０６）。この会員情報入力画面においては会員の氏名、診察券番号、年齢、提供を受ける付加サービスの種別と、また、病院の医療機関コードと病院ＩＤが入力できる欄が設けられている。病院の担当者はこれらの各情報を会員情報入力画面に入力し、医療機関端末２に会員登録を指示する（ステップＳ１０７）。すると、医療機関端末２の付加サービス処理部２３は、会員情報入力画面において入力された情報を含む会員登録及びバーコード生成要求の情報を管理サーバ１に送信するよう通信処理部２１に指示し、通信処理部２１が送信する（ステップＳ１０８）。
【００２０】
管理サーバ１では、会員登録及びバーコード生成要求の情報を医療機関端末２から受信すると、まず、制御部１２が、会員の情報が会員ＤＢ１７に登録済みであるか否かを確認する（ステップＳ１０９）。例えば、会員情報入力画面において入力された会員の情報の対応関係が、会員ＤＢ１７に記録されているか否かを判断する。そして、制御部１２は、会員登録されていないと判断した場合には、会員の各情報（氏名、診察券番号、年齢、提供を受ける付加サービスの種別と、病院の医療機関コードと病院ＩＤ）を対応付けて会員ＤＢ１７に記録する（ステップＳ１１０）。これにより会員登録が行なわれる。制御部１２は、既に会員登録されていると判断した場合には、ウェブサーバ機能を利用して、医療機関端末２に登録済み通知画面を送信する（ステップＳ１１１）。
【００２１】
そして、会員登録を行なうと制御部１２はバーコード生成処理部１３にバーコードを生成するよう指示する。バーコード生成処理部１３は会員登録された新たな会員の会員情報のうち、少なくとも病院ＩＤと診察券番号の情報を会員ＤＢ１７から読み取り、それらの情報を示すバーコード情報を生成する（ステップＳ１１２）。なお、生成するバーコードは図１に示すように病院ＩＤと診察券番号の情報を並べただけのバーコードでなく、例えば病院ＩＤと診察券番号とを暗号化した情報を示すバーコードであるようにしても良い。またバーコードの生成方法はこれに限らない。そして、バーコード生成処理部１３は生成したバーコードを医療機関端末２に送信するよう通信処理部１１に指示する。これにより医療機関端末２にバーコードの情報が送信される（ステップＳ１１３）。
【００２２】
医療機関端末２では、バーコードの情報を受信すると、付加サービス処理部２３がそのバーコードの印刷をするか否かを問い合わせる画面をモニタに表示する。そして、担当者の指示を受付けると、バーコードの情報がバーコード印刷処理部２４に転送される。バーコード印刷処理部２４は印刷装置へバーコードの印刷を指示する処理をおこなう（ステップＳ１１４）。ここでバーコードを印刷する媒体は診察券等そのものでもよいし、シールなどでもよい。シールである場合には、印刷券への添付が行なわれる。これにより、印刷券が紙媒体であっても、費用や時間を書けずに、付加サービスを受けることのできる情報（バーコード）を診察券等自体に付与することができる。
【００２３】
なお、登録の必要な会員情報が多くある場合には、紙媒体フォームなどに記入し、後日郵送などで医療用カード高機能化システムを運営する業者に送付してもよい。この場合、全ての会員情報がシステム管理者の手により後日会員ＤＢ１７に登録される。するとデータテーブルの利用可能フラグのカラムにフラグが立てられる。これにより会員は、付加サービスの提供を受けることができるようになる。
【００２４】
図６は付加サービスを利用する際の処理フローを示す図である。
まず、患者などの利用者が病院などの窓口において、付加サービスの利用申込みを行なう（ステップＳ２０１）。すると病院の担当者は病院ＩＤとパスワードとを入力し（ステップＳ２０２）、認証を受ける（ステップＳ２０３）。この認証の処理手順は上述した手順と同様である。そして認証が行なわれると、病院の担当者は利用者から診察券の提示を受け（ステップＳ２０４）、医療機関端末２に備えられたバーコード読取装置（バーコード読み取り手段）を利用して診察券のバーコードを読み込む（ステップＳ２０５）。また病院の担当者は医療機関端末２に付加サービスの種別を入力する（ステップＳ２０６）。すると付加サービス処理部２３は、バーコードの情報と付加サービスの種別の情報を含むサービス提供要求を管理サーバ１に送信するよう通信処理部２１に指示する。これにより管理サーバ１にバーコードの情報と付加サービスの種別の情報を含むサービス提供要求が送信される（ステップＳ２０７）。
【００２５】
次に、管理サーバ１は、医療機関端末２からバーコードの情報と付加サービスの種別の情報を受信すると、付加サービス提供可否判定処理部１４が、バーコードの情報で示される病院ＩＤと診察券番号とを読み取る。そして付加サービス提供可否判定処理部１４は、その病院ＩＤと診察券番号とに対応付けられて会員ＤＢ１７に記録されている付加サービスの種別の情報が、医療機関端末２から受信した付加サービスの種別の情報と同一か否かを判定（付加サービス提供可否判定）する（ステップＳ２０８）。そして、同一である場合には、付加サービス提供可否判定処理部１４は、医療機関端末２に付加サービス提供可能を示す通知の情報を送信するよう通信処理部１１に指示する（ステップＳ２０９）。これにより医療機関端末２には付加サービス提供可能が通知される。
【００２６】
なお、この時、管理サーバ１のウェブサーバ機能が会員の付加サービスの種別に特有のウェブページを医療機関端末２に送信するようにしてもよい。例えば、付加サービスが医療費のクレジットカード払いなどである場合には、クレジットカード払い画面（ウェブページ）が医療機関端末２に送信される。そして医療機関端末２で表示されたクレジットカード払い画面などに会員のクレジット番号や医療費が入力され、医療機関端末１が入力された情報を管理サーバ１に送信する。すると、付加サービス提供サーバ接続処理部１が、付加サービス提供サーバに接続し、医療機関端末２においてクレジットカード払い画面に入力された情報を送信する。これにより医療費のクレジットカード払いという付加サービスを会員に提供できるようになる。なお付加サービスはこれに限らないが、バーコードの情報と付加サービスの種別が一致した場合には、付加サービス提供可否判定処理部１４は、付加サービスの利用申込みされた会員の情報については、付加サービス提供サーバに接続または送信するよう処理するよう指示する（ステップＳ２１０）。
【００２７】
図７はバーコード情報の再発行の処理フローである。
まず、患者などの利用者が病院の窓口において診察券の再発行申込みを行なうと（ステップＳ３０１）、病院の担当者は医療機関端末２に管理サーバ１への接続を指示する（ステップＳ３０２）。例えば、ウェブブラウザなどを用いて管理サーバ１のウェブサーバ機能に接続する。するとログイン画面が管理サーバ１から送信され医療機関端末２のモニタに表示される。病院の担当者はログイン画面において病院ＩＤとパスワードを入力し、ログイン指示を入力すると、医療機関端末２の通信処理部２１は病院ＩＤとパスワードを管理サーバ１へ送信する（ステップＳ３０３）。そして管理サーバ１の制御部１２は、病院ＩＤとパスワードの組み合わせが医療機関ＤＢ１６のデータテーブルに記録されているか否か確認する（ステップＳ３０４）。そして、記録されている場合には医療機関端末２との通信接続を認証する。
【００２８】
管理サーバ１の制御部１２は医療機関端末２を認証すると、ウェブサーバ機能により会員情報入力画面を医療機関端末２へ送信する（ステップＳ３０５）。医療機関端末２の制御部２２はブラウザ機能を利用してモニタに会員情報入力画面を表示する。上記会員情報入力画面においては会員の氏名、診察券番号、年齢、提供を受ける付加サービスの種別と、また病院の医療機関コードと病院ＩＤが入力できる欄の他に、バーコード再発行指示のチェックボックスも設けられている。病院の担当者はこれらの各情報を会員情報入力画面に入力し、医療機関端末２にバーコード再発行を指示する（ステップＳ３０６）。すると、医療機関端末２の付加サービス処理部２３は、会員情報入力画面において入力された情報を含むバーコード再発行要求の情報を管理サーバ１に送信するよう通信処理部２１に指示し、通信処理部２１が送信する（ステップＳ３０７）。
【００２９】
管理サーバ１では、バーコード再発行要求の情報を医療機関端末２から受信すると、まず、制御部１２が、会員の情報が会員ＤＢ１７に登録済みであるか否かを確認する（ステップＳ３０８）。例えば、会員情報入力画面において入力された会員の情報の対応関係が、会員ＤＢ１７に記録されているかを判断する。そして、制御部１２は、会員登録されていると判断した場合には、バーコード生成処理部１３にバーコードを生成するよう指示する（ステップＳ３０９）。バーコード生成処理部１３は会員の会員情報のうち、少なくとも病院ＩＤと診察券番号の情報を会員ＤＢ１７から読み取り、それらの情報を示すバーコード情報を生成する（ステップＳ３１０）。そして、バーコード生成処理部１３は生成したバーコードを医療機関端末２に送信するよう通信処理部１１に指示する。これにより医療機関端末２にバーコードの情報が送信される（ステップＳ３１１）。
【００３０】
医療機関端末２では、バーコードの情報を受信すると、付加サービス処理部２３はそのバーコードの印刷をするか否かを問い合わせる画面をモニタに表示する。そして、担当者の指示を受付けると、バーコードの情報がバーコード印刷処理部２４に転送される。バーコード印刷処理部２４は印刷装置を利用してバーコードを印刷する処理をおこなう（ステップＳ３１２）。そして、新たに発行された診察券などバーコードのシールなどが添付される。
【００３１】
なお上述の管理サーバや医療機関端末は内部に、コンピュータシステムを有している。そして、上述した処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００３２】
なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。
【００３３】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００３４】
【図１】本発明の一実施形態による医療用カード高機能化システムの構成を示すブロック図である。
【図２】同実施形態による管理サーバと医療機関端末の機能ブロック図である。
【図３】同実施形態による医療機関ＤＢの記憶するデータテーブルを示す図である。
【図４】同実施形態による会員ＤＢの記憶するデータテーブルを示す図である。
【図５】同実施形態による入会登録及びバーコード発行の処理フローを示す図である。
【図６】同実施形態による付加サービスを利用する際の処理フローを示す図である。
【図７】同実施形態によるバーコード情報の再発行の処理フローである。
【符号の説明】
【００３５】
１・・・管理サーバ
２・・・医療機関端末
１１・・・通信処理部
１２・・・制御部
１３・・・バーコード生成処理部
１４・・・付加サービス提供可否判定処理部
１５・・・付加サービス提供サーバ接続処理部
１６・・・医療機関ＤＢ
１７・・・会員ＤＢ
２１・・・通信処理部
２２・・・制御部
２３・・・付加サービス処理部
２４・・・バーコード印刷処理部
【図１】
2006209503.tif 000003
【図２】
2006209503.tif 000004
【図３】
2006209503.tif 000005
【図４】
2006209503.tif 000006
【図５】
2006209503.tif 000007
【図６】
2006209503.tif 000008
【図７】
2006209503.tif 000009